(57)【要約】      （修正有）【課題】部品点数を減らし簡単に製造することができ、また組立が容易であるばかりか持ち運びと保管にも優れたスタンドホルダを提供する。【解決手段】起立及び折り畳み可能な正面部５、台座部４、支え部３、底部、背面部６を持つスタンドホルダであって、正面部５の下端部分である正面下端部５６には係合突起部５１が設けられており、底部には係合突起部５１と係合する係合部が設けられ、係合部は係合突起部５１に設けられている係合孔と係合する係合爪と係合突起部５１と係合する係合凸部とを有しており、一枚板状の展開体が折り返されてなることとした。【選択図】図１
0003183829.tif 000002
【実用新案登録請求の範囲】
【請求項１】
起立及び折り畳み可能なスタンドホルダであって、
起立時に上端となる正面上端部及び下端となる正面下端部を持ち、前記正面下端部の中央部に係合突起部を持つ正面部と、
前記係合突起部を除く前記正面下端部と一体に形成され、前記正面部との境界部分に第１屈曲部が設けられ、前記第１屈曲部を谷折り状に折り返してなる台座部と、
前記台座部における前記第１屈曲部とは反対側の端部と一体に形成され、前記台座部との境界部分に第２屈曲部が設けられ、前記第２屈曲部を山折り状に折り返してなる支え部と、
前記支え部における前記第２屈曲部とは反対側の端部と一体に形成され、前記支え部との境界部分に第３屈曲部が設けられ、前記第３屈曲部を山折り状に折り返してなる底部と、
前記底部における前記第３屈曲部とは反対側の端部と一体に形成され、前記底部との境界部分に第４屈曲部が設けられ、前記第４屈曲部を山折り状に折り返してなる背面部と、を持ち、
さらに前記背面部における前記第４屈曲部とは反対側の端部と前記正面上端部とが一体に形成され、前記背面部と前記正面部との境界部分に第５屈曲部を設け、前記第５屈曲部を山折り状に折り返してなり、
前記支え部の前記第２屈曲部側の端部中央部には支え突起部が設けられ、
前記台座部の前記第１屈曲部側の端部中央部には折り畳み時に前記係合突起部を収める第１切り欠き部及び前記台座部の前記第２屈曲部側の端部中央部は折り畳み時に前記支え突起部を収める前記第２切り欠き部が設けられ、
前記底部には前記係合突起部と係合する係合部が設けられ、前記係合部は前記係合突起部に設けられている係合孔と係合する係合爪と、前記係合突起部と係合する係合凸部とを有しており、
一枚板状の展開体が折り返されてなることを特徴とするスタンドホルダ。
【請求項２】
前記底部は、第３屈曲部側から順に第２底部、第１底部及び第３底部に区画され、
前記第２底部と前記第１底部は一体に形成され、第２底部と第１底部との境界部分に第６屈曲部が設けられ、
折り畳み時において、前記第１〜３屈曲部が屈曲されていない状態で、前記第２底部、前記支え部、前記台座部及び前記正面部は面一の平板状である第１平面部と、前記第４屈曲部が屈曲されていない状態で、前記第１底部、前記第３底部及び前記背面部は面一の平板状である第２平面部とが、前記第５及び前記第６屈曲部が山折り状に折り返されることによって一体的に形成され平板状となる請求項１に記載のスタンドホルダ。
【請求項３】
前記第１平面部及び前記第２平面部の一方の側端部は側壁を持ち、他方の側端部は前記側壁に覆われる側面を持つ形状であって、
前記側壁は係止孔を持ち、前記側面は前記係止孔と係止する係止爪を持つ請求項１又は２に記載のスタンドホルダ。
【請求項４】
前記背面部は厚み方向に貫通する貫通孔を持つ請求項１〜３の何れか一項に記載のスタンドホルダ。
【考案の詳細な説明】
【技術分野】
【０００１】
本発明は、例えばスマートフォンやタブレット型端末等を立て掛けて保持するのに好適であり、かつ、持ち運びに優れたスタンドホルダに関するものである。
【背景技術】
【０００２】
店頭やショールーム等のショーウインドやショーケース、ディスプレイカウンタに展示品をディスプレイする場合、展示品の形状に合わせた多種多様なディスプレイ製品が提案されている。特に近年においては、スマートフォンの急激な普及により、スマートフォンをディスプレイする際のスタンドホルダも多種多様に提案されている。また、個人のスマートフォンを自宅の机上に置く際のスタンドホルダとしても数多く提案されている。
【０００３】
その一例として、底板と、粘着材を塗布した粘着マットを固定した前板と、後ろ板及び接着板を折り目によって関節した板、若しくは各板の端部に溝と溝に嵌合するカム軸とを形成して、相互に任意の角度に折り曲げ可能に構成し、必要により底板、前板、後ろ板の組立時に外表面側となる側を広告・ディスプレイ用表示面とし、組立前は接着板に塗布した接着剤に保護紙を貼付した状態で折畳み、若しくは重ねることによりコンパクトに包装可能とし、使用時には、各板を三角形として折り曲げた状態で接着板の両面接着剤などにより固定して三角形状に組立て可能としたディスプレイスタンドがある（例えば特許文献１）。
【０００４】
また、折り畳む前は平板状であって、後面部、前面部、底面部からなり、前面部と後面部の間に跨ってスマートフォンを挿入する開口部をもち、後面部には前面部とは異なる端部に引掛け雄部を持ち、底面部には前面部とは異なる側に引掛け雌部を備え、引掛け雄部を引掛け雌部に挿入して嵌め込むことにより三角形状に組み立てるスマートフォンスタンドがある（例えば特許文献２）。
【０００５】
上記の特許文献１及び２は構成が比較的単純であるものの、特許文献１では、展示品貼付用の粘着マットと、接着剤を塗布した接着板かもしくはカム軸とカム溝との組み合わせのどちらかが必要であり、部品点数とコスト面とでより改善が望まれる。特許文献２では、展開体の形状が複雑であり、ある程度の大きさが必要となるため、より持ち運びに優れるためには更なる小型化・単純化が求められる。また、折り曲げ部分である下部溝は曲げ易くするため、他の部分より厚さが薄い。したがって、持ち運び時にはこの折り曲げ部分である下部溝が破損しやすいという問題点も存在する。
【先行技術文献】
【特許文献】
【０００６】
【特許文献１】実用新案登録第３０７２３８１号公報
【特許文献２】実用新案登録第３１７４４３３号公報
【考案の概要】
【考案が解決しようとする課題】
【０００７】
本考案は上記事情に鑑みてなされたものであり、部品点数を減らし簡単に製造することができ、また組立が容易であるばかりか持ち運びと保管にも優れたスタンドホルダを提供することにある。
【課題を解決するための手段】
【０００８】
上記課題を解決する本考案のスタンドホルダは、起立及び折り畳み可能なスタンドホルダであって、起立時に上端となる正面上端部及び下端となる正面下端部を持ち、前記正面下端部の中央部に係合突起部を持つ正面部と、前記係合突起部を除く前記正面下端部と一体に形成され、前記正面部との境界部分に第１屈曲部が設けられ、前記第１屈曲部を谷折り状に折り返してなる台座部と、前記台座部における前記第１屈曲部とは反対側の端部と一体に形成され、前記台座部との境界部分に第２屈曲部が設けられ、前記第２屈曲部を山折り状に折り返してなる支え部と、前記支え部における前記第２屈曲部とは反対側の端部と一体に形成され、前記支え部との境界部分に第３屈曲部が設けられ、前記第３屈曲部を山折り状に折り返してなる底部と、前記底部における前記第３屈曲部とは反対側の端部と一体に形成され、前記底部との境界部分に第４屈曲部が設けられ、前記第４屈曲部を山折り状に折り返してなる背面部と、を持ち、さらに前記背面部における前記第４屈曲部とは反対側の端部と前記正面上端部とが一体に形成され、前記背面部と前記正面部との境界部分に第５屈曲部を設け、前記第５屈曲部を山折り状に折り返してなり、前記支え部の前記第２屈曲部側の端部中央部には支え突起部が設けられ、前記台座部の前記第１屈曲部側の端部中央部には折り畳み時に前記係合突起部を収める第１切り欠き部及び前記台座部の前記第２屈曲部側の端部中央部は折り畳み時に前記支え突起部を収める前記第２切り欠き部が設けられ、前記底部には前記係合突起部と係合する係合部が設けられ、前記係合部は前記係合突起部に設けられている係合孔と係合する係合爪と、前記係合突起部と係合する係合凸部とを有しており、一枚板状の展開体が折り返されてなることを特徴とする。
【０００９】
本考案のスタンドホルダは、下記の（１）〜（３）の何れかを備えるのが好ましく、（１）〜（３）の複数を備えるのがより好ましい。
（１）前記底部は、第３屈曲部側から順に第２底部、第１底部及び第３底部に区画され、前記第２底部と前記第１底部は一体に形成され、第２底部と第１底部との境界部分に第６屈曲部が設けられ、折り畳み時において、前記第１〜３屈曲部が屈曲されていない状態で、前記第２底部、前記支え部、前記台座部及び前記正面部は面一の平板状である第１平面部と、前記第４屈曲部が屈曲されていない状態で、前記第１底部、前記第３底部及び前記背面部は面一の平板状である第２平面部とが、前記第５及び前記第６屈曲部が山折り状に折り返されることによって一体的に形成され平板状となる。
（２）前記第１平面部及び前記第２平面部の一方の側端部は側壁を持ち、他方の側端部は前記側壁に覆われる側面を持つ形状であって、前記側壁は係止孔を持ち、前記側面は前記係止孔と係止する係止爪を持つ。
（３）前記背面部は厚み方向に貫通する貫通孔を持つ。
【考案の効果】
【００１０】
本考案のスタンドホルダは、一枚板状の展開体を折り返して形成することができるため、容易に起立状態とすることができる。また、展開体も形状が容易であり、例えば射出成形によって作ることができるため製造コストを抑えることができる。
【００１１】
さらに、本考案は（１）の構成を備えることにより、コンパクトに折り畳むことができる。したがって、持ち運びに優れる。特に、本考案のように２つの平面部を一体化して平板状とすることで、他の部分に比較して強度の劣る屈曲部分を固定できる。すなわち、持ち運び時に起きてしまう屈曲部の破損を防ぐこともできる。
【００１２】
さらに、本考案は（２）の構成を備えることにより、例えば射出成形される場合によって作られるパーティングラインを折り畳み時に隠すことができる。一般にこのパーティングラインは触った感触が良くない。時にはこのパーティングラインによって怪我をする場合もある。したがって、本考案によれば、折り畳み時に側面を触ることの不都合を解消することができる。また、本考案（２）は、折り畳み時に係止する係止孔と係止爪を持つため、２つの平面部をより強固に一体化できる。すなわち、持ち運び時に２つの平面部が容易に展開してしまうことが無く、持ち運び時に起きる破損を防ぐことができる。なお、係止孔と係止爪とを係止する際に起こる音や感触は、使用者に対して、２つの平面部を確実に一体化できたことの安心感を与えるものである。
【００１３】
本考案は（３）の構成を備えることにより、折り畳み状態から起立状態に変形する際、使用者が貫通孔に指を入れ正面部を押すことができ、折り畳み状態から起立状態に容易に形成することが可能となる。
【図面の簡単な説明】
【００１４】
【図１】実施例１のスタンドホルダを示す模式的な正面からの斜視図である。
【図２】実施例１のスタンドホルダを示す模式的な背面からの斜視図である。
【図３】実施例２のスタンドホルダを示す第１平面部側の斜視図である。
【図４】実施例２のスタンドホルダを示す第２平面部側の斜視図である。
【図５】本考案のスタンドホルダの展開図である。
【考案を実施するための形態】
【００１５】
本考案のスタンドホルダは、上述したように、スマートフォンやタブレット型端末等を立て掛けて保持するのに好適であり、かつ、持ち運びに優れたスタンドホルダとして使用できる。スマートフォンやタブレット型端末の大きさ等は特に限定されず、本考案のスタンドホルダは保持する大きさに応じた種々の形状をとり得る。
【００１６】
本考案のスタンドホルダの材料としては、紙、樹脂、金属等の種々の材料を用いることができる。
【００１７】
本考案のスタンドホルダは、展開体の状態（すなわち、折り返されていない状態）で一枚板状であり、折り返されて起立状態に形成されている。このため、本考案のスタンドホルダは、多数の部品を必要とせず、容易かつ安価に製造できる。この展開体は射出成形により製造されることが望ましいが、特にこれに限定されるものではない。本考案のスタンドホルダは、展開体の状態において一枚板状であれば良く、折り返した状態で固着しても良いし、折り返した状態から、再度、展開体にまで展開できても良い。折り返した状態から、再度、展開体にまで展開できる場合には、スタンドホルダの製造時に接着等の固着工程を必要とせず、スタンドホルダをより容易かつ安価に製造できる利点がある。なお、本明細書でいう板状とは、折り返し可能な程度の厚さをもつ形状を指し、例えば、シート状やフィルム状、紙状等を含む概念である。また、展開体の肉厚は、略一定であっても良いし、部分的に厚肉および／または薄肉であっても良い。また、本明細書でいう一枚板状とは、切断等しないそのままの状態で分離しない一枚の板状をなすことを指し、その外形は特に問わない。例えば、展開体には切り目や切り欠き等が形成されていても良い。また、本明細書でいう起立時（起立状態）とは、スマートフォン等の対象物を保持できる状態のことであり、スタンドホルダとして機能する組み立てた状態のことである。これに対して折り畳み時（折り畳み状態）とは、展開体を折り畳み一枚の平板状にした状態のことをいう。また、本明細書でいう山折り状とは角が外側になるように折り曲げることであり、谷折り状とは角が内側になるように折り曲げることである。
【００１８】
本考案のスタンドホルダは、正面部、台座部、支え部、底部、背面部、を持つ。正面部は台座部と共に直接的または間接的にスマートフォン等を保持する部分である。支え部、底部及び背面部は起立時において保持部（正面部と台座部）を支える部分である。正面部は、起立時において上側に配置される部分（正面上端部）と下側に配置される部分（正面下端部）とを持つ。正面下端部には正面部の面方向に係合突起部が延設されている。正面部は、係合突起部が底部に設けられる係合部と係合することにより固定される。さらに正面部は、背面部と正面上端部を介して一体に形成されている。つまり、正面部は背面部によっても支えられて固定される。
【００１９】
台座部は、正面部及び支え部と一体に形成されている。台座部には２つの切り欠き部が設けられている。１つの切り欠き部は、台座部が正面部と一体となる境界部分にあり、もう１つの切り欠き部は、台座部が支え部と一体となる境界部分にある。上記したように、正面部の正面下端部には係合突起部が設けられている。また、後述するように、支え部には台座部と一体となる境界部分に支え突起部が設けられている。すなわち、台座部に設けられる２つの切り欠き部は、これら二つの突起部を折り畳み時に収めるものである。したがって、２つの切り欠き部の形状は、それぞれの突起部の形状を収めることができる形状であることが望ましい。
【００２０】
支え部は、台座部及び底部と一体に形成されている。支え部は、起立時において上側に配置される部分（支え上端部）と下側に配置される部分（支え下端部）とを持つ。支え上端部中央部分には、支え突起部が支え部面方向に延設されている。支え部は、起立時において正面部と平行もしくは正面部に向かう方向に起立することが望ましい。具体的には、起立時において支え部と底部が作る内角と正面部と底部が作る内角が等しい、又は、正面部と底部が作る内角の方が大きい状態のことである。これにより、支え突起部も正面部と平行もしくは正面部に向かう方向に起立する。したがって、スマートフォン等を保持する際、支え突起部がスマートフォン等を支持する役割を果たす。
【００２１】
底部は、支え部と背面部と一体に形成されている。底部は、起立時において机上面等と接する部位である。底部は、正面部の係合突起部と係合する係合部を持つ。係合部には係合爪を持つことが望ましい。このとき、係合突起部にこの係合爪と係合する係合孔を設けることで、組み付きが強固となる。さらに、係合部には係合爪と対向する係合凸部を設けることが望ましい。このような構成とすることで、係合突起部が係合爪から不本意に離脱してしまうことを防止できる。また、底部はいくつかに区画されていることが望ましい。
【００２２】
背面部は、底部と正面部と一体に形成されている。起立時において背面部は、正面部の正面上端部と接合して正面部を支持する。背面部は背面貫通孔と背面側壁部を持つことが望ましい。この背面貫通孔と背面側壁部は折り畳み時から起立時の状態にするときに使用される。
【００２３】
背面貫通孔は、背面部中央部分に設けられる厚さ方向に貫通した孔である。後述するが、使用者が折り畳み時から起立時に展開する際、この背面貫通孔に指を挿入することで折り畳み時に背面部と一体的に接合している正面部を押すことができる。したがって、折り畳み時の状態を容易に解除することができ、手間なく起立時の状態にすることができる。形状は円形が望ましいが、指を挿入できる形状であれば良く、特に限定されない。
【００２４】
背面側壁部は、背面部の側端部分に設けられる側壁である。背面部の側端部分の全てに設けられても良いが、一部分であることがより望ましい。背面側壁部と背面貫通孔は使用者によって次のように用いられる。折り畳み時を解除する際、すなわち背面部と一体となっている正面部を背面部から引き離す際、使用者は背面側壁部を持ちながら、背面貫通孔に指を挿入し、正面部を押すことによって折り畳み状態を解除する。したがって、使用者はこの背面貫通孔と背面側壁部を用いることにより片手で折り畳み状態を解除でき、容易に起立時の状態に変更できる。
【００２５】
本考案のスタンドホルダにおいて、正面部と台座部、台座部と支え部、支え部と底部、底部と背面部及び背面部と正面部との境界部分には屈曲部が設けられる。この屈曲部は、曲げ伸ばし可能な程度の強度が要求される。また、正面部及び台座部には起立時においてスマートフォン等を保持できる程度の強度が要求される。支え部、底部及び背面部には起立時において正面部及び台座部を保持できる程度の強度が要求される。これらを考慮すると、本発明のカードホルダの材料としては、比較的強度に優れ、かつ、疲労破壊し難い材料を選択するのが好ましく、具体的には、樹脂、金属等である。
【００２６】
以下、本考案の実施例について、図面に基づいて説明する。なお、各図面において同一箇所は同一符号を用いて説明する。
【００２７】
図１及び２は実施例１に係る起立時のスタンドホルダの斜視図を模式的に表したものである。図３及び４は実施例２に係る折り畳み時のスタンドホルダを模式的に表したものである。図５は本考案に係るスタンドホルダを展開した図である。
【００２８】
（実施例１）
実施例１に係るスタンドホルダＡにおいて、図１、図２及び図５を参照して説明する。実施例１に係るスタンドホルダＡは起立時の状態、すなわちスマートフォン等の対象物を保持するスタンドホルダ本来の機能を発揮する状態を示す。
【００２９】
実施例１のスタンドホルダＡは、厚さ１ｍｍのポリプロピレン製であり、図５に示す一枚板状の展開体Ｃが折り返されてなる。展開体Ｃにおける各部分の厚さは略均一である。実施例１のスタンドホルダＡは、正面部５、台座部４、支え部３、底部（第１底部１、第２底部２、第３底部７）及び背面部６を持つ。
【００３０】
正面部５は、略矩形の係合突起部５１を持つ略矩形の板状をなす。正面部５は、起立時において上側に位置する正面上端部５５と下側に位置する正面下端部５６を持つ。また、正面部５は正面上端部５５と正面下端部５６以外の左右周縁部に正面側壁部５７を持つ。正面側壁部５７は正面部５の厚み方向に２ｍｍの長さで設けられている。正面側壁部５７は正面部５の左右周縁部の全てに設けられなく、図１に示すように一部分欠けている。正面側壁部５７は左右の周縁部に対称的に設けられている。また、正面側壁部５７は第３係止孔５３を持つ。係合突起部５１は、正面下端部５６の中央部分に正面部５の面方向に延設されている。係合突起部５１は中央部分に略短冊状の係合孔５２を持つ。係合孔５２は厚さ方向に貫通する貫通孔である。
【００３１】
台座部４は、略矩形状の２つの切り欠き部を持つ略矩形の板状をなす。台座部４は正面部５の正面下端部５６と接合して一体に形成される。この接合部分である第１屈曲部９４は、台座部４と正面部５の境界部分である。また、第１屈曲部９４は、正面部５の正面下端部５６のうち係合突起部５１を除いた部分と台座部４の一端とが接合した部分である。第１屈曲部９４は曲げ伸ばし可能であり、起立時において台座部４は正面部５に対して第１屈曲部９４により谷折り状に折り返されている。台座部４は第１屈曲部９４側の端部中央部分に第１切り欠き部４１と、対向する端部中央部に第２切り欠き部４２を持つ。第１切り欠き部４１は略矩形状であり、折り畳み時に正面部５の係合突起部５１が収まる空間である。第２切り欠き部４２は略矩形状であり、折り畳み時に後述する支え突起部３１が収まる空間である。台座部４は、第１切り欠き部４１及び第２切り欠き部４２が設けられていない左右周縁部に側壁部を持つ。
【００３２】
支え部３は、支え突起部３１を持つ凸状形の板状をなす。支え部３は、起立時において上側に位置する支え上端部３２と下側に位置する支え下端部３３を持つ。支え突起部３１は、支え上端部３２の中央部分に面方向に延設された略矩形状の突起である。支え部３は、第１屈曲部９４と反対側の台座部４端部と支え上端部３２のうち支え突起部３１を除いた部分で接合して一体に形成される。この接合部分である第２屈曲部９３は、支え部３と台座部４との境界部分であり、曲げ伸ばし可能である。起立時において、支え部３は台座部４に対して第２屈曲部９３により山折り状に折り返されている。支え部３には、支え上端部３２と支え下端部３３以外の左右周縁部に側壁部を持つ。
【００３３】
底部は３つに区画されており、支え部３側から背面部６側に向かって第２底部２、第１底部１、第３底部７の順に面一に並んでいる。第２底部は係合部８の一部を有する略矩形の板状をなす。第２底部２はその端部と支え部３の支え下端部３３とが接合して一体に形成されている。この接合部分である第３屈曲部９２は、支え部３と第２底部２との境界部分であり、曲げ伸ばし可能である。起立時において、第２底部２は支え部３に対して第３屈曲部９２により山折り状に折り返されている。第２底部２は、第３屈曲部９２と反対側の端部に係合部８の一部を有する。具体的には係合部８の係合爪８２を有する。また、第２底部２は第３屈曲部９２側とこれと対向する側以外の左右周縁部に側壁部を持つ。この側壁部には第２係止孔２１が設けられている。
【００３４】
第１底部１は係合部８の一部を有する略矩形の板状をなす。第１底部１の一端部は、第２底部２における第３屈曲部側と反対側の端部と接合して一体に形成されている。この接合部分であり第２底部２と第１底部２との境界部分である第６屈曲部９１は曲げ伸ばし可能であり、起立時においては、伸びた状態で第１底部１と第２底部２とを面一に形成する。第１底部１における第６屈曲部９１とは反対側の端部は、等間隔に並んだ３つの第１係止凸部１２とその間に配置される２つの第１係止爪１１を持つ。第１係止凸部１２は端部側面に設けられる突起である。第１係止爪１１は、先端が台形状で段差が設けられた爪である。係合部８は、第２底部２と第１底部１との境界部分である第６屈曲部９１の中央部分に設けられる。
【００３５】
係合部８は、矩形状の貫通穴であり第２底部２側に係合爪８２を持ち、第１底部１側に２つの係合凸部８１を持つ。係合部８では、正面部５に設けられた係合突起部５１の係合孔５２と係合爪８２とが係合する。これにより、正面部５が底部と組み付き固定される。さらに、係合部８は係合爪８２と対向する側に２つの係合凸部８１を持つ。この２つの係合凸部８１は、係合突起部５１の係合孔５２と係合爪８２との係合を外れ難くする役割を果たす。具体的には、係合爪８２と係合する係合突起部５１を係合爪８２と対向する側から係合する。したがって、起立時のスタンドホルダの安定的な形状維持に効果的である。
【００３６】
第３底部７は略矩形の板状である。第３底部７の第１底部１側の端部には、等間隔に並んだ３つの第１係止凹部７３とその間に配置される２つの第１係止孔７１を持つ。第１係止凹部７３は端部側面に設けられる。第１係止孔７１は略台形状の厚み方向に貫通した貫通孔である。第１底部１と第３底部７は、第１底部１の２つの第１係止爪１１が第３底部７の２つの第１係止孔と係止する。さらに、３つの第１底部１の第１係止凸部１２が第３底部７の３つの第１係止凹部７３と係止する。これにより、第１底部１と第３底部７が面一に接合される。このような構造を持つため、第１底部と第３底部とは非常に強固に結着され、底部を面一な状態に保つことができる。したがって、本考案のスタンドホルダは安定性に優れる。また、第３底部７は左右周縁部の対称位置に第２係止爪７２を持つ。
【００３７】
背面部６は略矩形の板状である。背面部６の一端は、第３底部７の第１係止孔７１と第１係止凹部７３を持つ端部とは反対側の端部と接合して一体に形成されてなる。この接合部分であり第３底部７と背面部６との境界部分である第４屈曲部９６は、曲げ伸ばし可能である。起立時において、背面部６は第３底部７に対して第４屈曲部９６により山折り状に折り返されている。また、背面部６は正面部５との境界部分である第５屈曲部９５を持つ。第５屈曲部９５は、曲げ伸ばし可能である。起立時において、背面部６は正面部５に対して第５屈曲部９５により山折り状に折り返されている。背面部６は中央部分に背面貫通孔６１を持つ。背面貫通孔６１は厚み方向に貫通した円形の孔である。また、背面部６は第４屈曲部９６と第５屈曲部９５以外の左右周縁部の対称位置に背面側壁部６２を持つ。
【００３８】
実施例１のスタンドホルダＡは、図５に示す一枚板状の展開体Ｃが折り返されて形成される。台座部４は第１屈曲部９４により正面部５に対して谷折りされている。支え部３は第２屈曲部９３により台座部４に対して山折りされている。第２底部２は第３屈曲部９２により支え部３に対して山折りされている。第１底部１は、第６屈曲部９１が伸びた状態であることにより第２底部２と面一となっている。第３底部７は第１底部１と係止されている。背面部６は第４屈曲部９６により第３底部７に対して山折りされ、立ち上っている。そして、背面部６と正面部５は第５屈曲部９５が山折り状となることで実施例１のスタンドホルダＡの頂角を作る。
【００３９】
以上のように、正面部５、台座部４、支え部３、底部、背面部６が接合して１つのループ状となり、第１屈曲部９４から第６屈曲部９１の曲げ伸ばしと、係合突起部５１と係合部８との係合によって実施例１のスタンドホルダの起立状態が形成される。なお、図示しないが、正面部５や支え部３に図略の意匠（企業名、標章、住所、電話番号等）が印刷されている。
【００４０】
実施例１のスタンドホルダＡは、各屈曲部の曲げ伸ばしや突起部の係合により組み付けられるため、使用者は容易に展開体から起立状態に形成することができる。また、接着剤等を使用していないため、後述する実施例２の折り畳み状態に変形することも容易である。
【００４１】
また、実施例１のスタンドホルダＡの展開体Ｃは、射出成形により製造されることが望ましい。これにより製造コストも抑えることができる。さらに、実施例１のスタンドホルダＡをノベルティ用として使用する場合にも、支え部３に意匠を印刷することでスマートフォン等を保持した状態でも常に意匠が目に付く状態となる。したがって、宣伝効果を高めることもできる。
【００４２】
（実施例２）
実施例２に係るスタンドホルダＢにおいて、図３、図４及び図５を参照して説明する。実施例２に係るスタンドホルダＢは折り畳み時の状態、すなわち本考案のスタンドホルダを持ち運びする状態あるいは使用前状態を示す。図３は第１平面部１００側の模式図であり、図４は第２平面部２００側の模式図であり、第１平面部１００と第２平面部２００は表裏一体の関係である。なお、実施例２において実施例１と同一箇所は同一符号を用い、同一箇所の説明は省略する。
【００４３】
第１平面部１００は、第２底部２、支え部３、台座部４、正面部５が面一となっている。第２平面部２００は、背面部６、第３底部７、第１底部１が面一になっている。実施例２のスタンドホルダＢは、第２底部２と第１底部１との境界部分である第６屈曲部９１と、正面部５と背面部６の境界部分である第５屈曲部９５が山折り状に折り返され、第１〜４屈曲部は伸びた状態によって、第１平面部１００と第２平面部２００が一体となった厚み２ｍｍの平板状である。第１平面部１００と第２平面部２００の表面は、通常使用者の手に触れる部分であるため、感触の良い表面加工が施されることが良い。
【００４４】
第１平面部１００は、屈曲部側でない長辺側の周縁部に側壁部を有する。この側壁部は、折り畳み時において第２平面部２００の側面を覆う形状である。側壁部も第１平面部１００と第２表面部２００と同じ表面加工が施される。このような構成を取ることで、第２平面部２００の側面に存在するパーティングラインを第１平面部１００の側壁部によって隠すことができる。したがって、実施例２のスタンドホルダＢを持ち運ぶ際、使用者は不快な感触を得ずに済む。
【００４５】
第１平面部１００と第２平面部２００が一体となるとき、正面側壁部５７に設けられた２つの第３係止孔５３と背面側面部６４に設けられた２つの第３係止爪６３が係止する。また、同様に第２底部２の側壁部に設けられた２つの第２係止孔２１と第３底部７の側面に設けられた２つの第２係止爪７２が係止する。この構成を取ることで、より第１平面部１００と第２平面部２００の一体化が強固となる。特に持ち運び時においては、他の部分と比較すると強度が劣る屈曲部の破損が起こり易くなる。実施例２のスタンドホルダＢのように第１平面部１００と第２平面部２００を合わせて一体化することで各屈曲部を固定できる。さらに上記の係止孔と係止爪によってより強固に一体化できれば、各屈曲部もまた一段と強固に固定できる。したがって、本考案のスタンドホルダを破損から守ることができる。
【００４６】
実施例２のスタンドホルダＢは、図４及び５に示すように、背面部６に厚さ方向に貫通した背面貫通孔６１と背面側壁部６２を持つ。背面側壁部６２は、正面部５の一部分の正面側壁部５７が背面側壁部６２に換わり設けられている。言い換えると、この部分だけ側壁部と側面部との逆転が起きている状態である。したがって、第１平面部１００と第２平面部２００とが一体化となるときに背面側壁部６２と合わさる正面部５の部分は、正面側壁部５７が切り欠けており正面側面部５４となる。
【００４７】
実施例２のスタンドホルダＢは上述のように、第１平面部１００と第２平面部２００は強固に一体化となっている。そこで、使用者は、折り畳み状態から起立状態に変形させるとき、この背面貫通孔６１と背面側壁部６２を利用することで容易に起立時のスタンドホルダへと形成できる。具体的には、左右対称に設けられている背面側壁部６２を親指と中指で支持し、その状態で人差し指を背面貫通孔６１に挿入し、正面部５を押す。よって、容易に折り畳み状態を解除でき、起立状態のスタンドホルダＡへと形成できる。
【００４８】
なお、ノベルティ用品として用いられる場合、第１平面部１００や第２平面部２００に意匠を印刷することも望ましい。このようにすることで、印刷された意匠が人目に付きやすくなり、宣伝効果が高まる。
【産業上の利用可能性】
【００４９】
本考案のスタンドホルダは、卓上型のスマートフォン立てや、タブレット端末等をディスプレイするもの、またはノベルティ用品としても特に好ましく使用できる。
【符号の説明】
【００５０】
１：第１底部    １１：第１係止爪    １２：第１係止凸部    
２：第２底部    ２１：第２係止孔    
３：支え部    ３１：支え突起部    ３２：支え上端部    ３３：支え下端部
４：台座部    ４１：第１切り欠き部    ４２：第２切り欠き部
５：正面部    ５１：係合突起部    ５２：係合孔    ５３：第３係止孔  
５４：正面側面部    ５５：正面上端部    ５６：正面下端部    ５７：正面側壁部
６：背面部    ６１：背面貫通孔    ６２：背面側壁部    ６３：第３係止爪    
６４：背面側面部    
７：第３底部    ７１：第１係止孔    ７２：第２係止爪    ７３：第１係止凹部
８：係合部    ８１：係合凸部    ８２：係合爪
９１：第６屈曲部    ９２：第３屈曲部    ９３：第２屈曲部    ９４：第１屈曲部    
９５：第５屈曲部    ９６：第４屈曲部        
１００：第１平面部    ２００：第２平面部
Ａ：スタンドホルダ（起立時）  Ｂ：スタンドホルダ（折り畳み時）  Ｃ：展開体
【図１】
0003183829.tif 000003
【図２】
0003183829.tif 000004
【図３】
0003183829.tif 000005
【図４】
0003183829.tif 000006
【図５】
0003183829.tif 000007